(57)【特許請求の範囲】
【請求項１】
液体洗剤を投入する液体洗剤箱を有するケースと、前記ケースを引き出し可能に収納し前記ケースを通して注水口より洗濯槽内に注水する注水装置とを備え、前記液体洗剤箱は、その内底部の下面に連通した略筒状の洗浄剤投入部と、前記洗浄剤投入部の上方部および周囲を間隙を介して覆うキャップとを有し、前記ケースを前記注水装置に挿入したときに前記キャップを正規の位置に挿入させる当接部を前記注水装置の内部天面に設け、前記当接部により前記キャップの上面に設けた凸部を押さえ込むようにした洗濯機。
【請求項２】
液体柔軟剤を投入する柔軟剤箱を有するケースと、前記ケースを引き出し可能に収納し前記ケースを通して注水口より洗濯槽内に注水する注水装置とを備え、前記柔軟剤箱は、その内底部の下面に連通した略筒状の洗浄剤投入部と、前記洗浄剤投入部の上方部および周囲を間隙を介して覆うキャップとを有し、前記ケースを前記注水装置に挿入したときに前記キャップを正規の位置に挿入させる当接部を前記注水装置の内部天面に設け、前記当接部により前記キャップの上面に設けた凸部を押さえ込むようにした洗濯機。
【請求項３】
キャップの上面につば部を設け、前記つば部は、液体洗剤箱または柔軟剤箱の少なくとも半分を覆うよう平面形状に略相似した形状に構成した請求項１または２に記載の洗濯機。
【請求項４】
キャップの上面につば部を設け、前記つば部は、外周の下面全周にリブを設けた請求項１から３のいずれか１項に記載の洗濯機。
【発明の詳細な説明】
【技術分野】
【０００１】
本発明は、洗濯槽に液体洗剤、柔軟剤を投入する投入装置を有する洗濯機に関するもの
である。
【背景技術】
【０００２】
従来、この種の洗濯機における液体洗剤、柔軟剤の投入装置は、図４〜図８に示すように構成していた。以下、その構成について説明する。
【０００３】
図４に示すように、外枠１は上部に外箱２を固着し、洗濯槽３を内包して上部をカバー４で覆った外槽５を外枠１内部の上部角隅より垂下支持している。洗濯槽３は複数の小孔３ａを有し、外槽５の上部を覆うカバー４を有している。外箱２の中央に大きく開口した投入口２ａを形設し、蓋６を開閉自在に設けている。
【０００４】
液体洗剤、柔軟剤の投入装置７は、液体洗剤、柔軟剤を投入するもので、図５に示すように、液体洗剤投入部８と柔軟剤投入部９とを有するケース１０と、このケース１０を引き出し可能に収納し、給水経路１１、１２よりケース１０を通して洗濯槽３内に注水する注水装置１３とで構成している。
【０００５】
注水装置１３は、図６に示すように、給水経路１１に連通した注水部１４より複数の穴１５を通してケース１０内の液体洗剤投入部８に注水可能とするとともに、図７に示すように、給水経路１２に連通した注水部１６より複数の穴１７を通してケース１０内の柔軟剤投入部９に注水可能としている。
【０００６】
液体洗剤投入部８には、内底部の下面に連通した略筒状の洗浄剤投入部１８を設け、この洗浄剤投入部１８の上方部および周囲を間隙を介して、キャップ１９で覆っている。また、柔軟剤投入部９には、内底部の下面に連通した略筒状の洗浄剤投入部２０を設け、この洗浄剤投入部２０の上方部および周囲を間隙を介して、キャップ２１で覆っている。
【０００７】
上記構成において、液体洗剤を使用する場合は、ケース１０を引き出して、液体洗剤を液体洗剤投入部８に投入し、図６に示すように、ケース１０を注水装置１３に収納する。この状態で、水道水を給水経路１１より注水部１４に給水すると、給水された水は複数の穴１５より液体洗剤投入部８に注水され、液体洗剤投入部８内の液体洗剤を薄めながら、矢印ａで示した経路を通り液体洗剤投入部８から溢れ、注水口２２を通って洗濯槽３に液体洗剤とともに注水される。
【０００８】
給水経路１１からの注水が終了すると、液体洗剤投入部８内に残った液体洗剤を含む洗浄液は、サイフォンの原理によって矢印ｂで示した経路より排出され、液体洗剤投入部８の流出口８ｃを通り、注水口２２より洗濯槽３に注水される。
【０００９】
ここで、サイフォンの原理について説明すると、複数の穴１５より注水されて、キャップ１９の内側上面ｃまで水位が上がると、液体洗剤投入部８内より液体洗剤を含む洗浄液が落下をはじめる。このとき、落下する洗浄液が液体洗剤投入部８内の洗浄液を吸い上げる働きをし、連鎖的に液体洗剤投入部８内の洗浄液をすべて排出する。
【００１０】
つぎに、柔軟剤を使用する場合は、ケース１０を引き出して、柔軟剤を柔軟剤投入部９に投入し、図７に示すように、ケース１０を注水装置１３に収納する。この状態で、すすぎ時に水道水を給水経路１２より注水部１６に給水すると、給水された水は複数の穴１７より柔軟剤投入部９に注水され、柔軟剤投入部９内の柔軟洗剤を薄めながら、矢印ａで示した経路を通り柔軟剤投入部９から溢れ、注水口２２を通って洗濯槽３に柔軟剤とともに注水される。
【００１１】
給水経路１２からの注水が終了すると、柔軟剤投入部９内に残った柔軟剤を含む洗浄液
は、サイフォンの原理によって矢印ｂで示した経路より排出され、柔軟剤投入部９の流出口９ｃを通り、注水口２２より洗濯槽３に注水される。
【発明の開示】
【発明が解決しようとする課題】
【００１２】
しかしながら、このような従来の洗濯機では、液体洗剤投入部８の洗浄剤投入部１８の外面に糸リブ２３を設け、サイフォン現象を起こすためのキャップ１９を圧入することにより固定していたが、この洗浄剤投入部１８の外面に糸リブ２３とキャップ１９との圧入代が難しく、挿入が困難であったり、逆に弱いとキャップ１９が浮いてきてサイフォン現象が働かなくなるという不具合があった。
【００１３】
本発明は、前記従来の課題を解決するもので、キャップが正規の位置に挿入されていない場合でも、キャップを適正な位置にセットできるようにし、液体洗剤、柔軟剤が残ることなく投入できるようにすることを目的としている。
【課題を解決するための手段】
【００１４】
上記の目的を達成するために、本発明の洗濯機は、略筒状の洗浄剤投入部と、洗浄剤投入部の上方部および周囲を間隙を介して覆うキャップとを有し、ケースを注水装置に挿入したときに前記キャップを正規の位置に挿入させる当接部を注水装置の内部天面に設け、前記当接部により前記キャップの上面に設けた凸部を押さえ込むようにしたものである。
【００１５】
これにより、キャップが正規の位置に挿入されていない場合でも、ケースを注水装置に収納することにより、キャップを適正な位置にセットすることができ、液体洗剤、柔軟剤が残ることなく投入することができる。
【発明の効果】
【００１６】
以上のように本発明によれば、キャップが正規の位置に挿入されていない場合でも、ケースを注水装置に収納することにより、キャップを適正な位置にセットすることができ、液体洗剤が残ることなく投入することができる。
【発明を実施するための最良の形態】
【００１７】
第１の発明は、液体洗剤を投入する液体洗剤箱を有するケースと、前記ケースを引き出し可能に収納し前記ケースを通して注水口より洗濯槽内に注水する注水装置とを備え、前記液体洗剤箱は、その内底部の下面に連通した略筒状の洗浄剤投入部と、前記洗浄剤投入部の上方部および周囲を間隙を介して覆うキャップとを有し、前記ケースを前記注水装置に挿入したときに前記キャップを正規の位置に挿入させる当接部を前記注水装置の内部天面に設け、前記当接部により前記キャップの上面に設けた凸部を押さえ込むようにしたことにより、キャップが正規の位置に挿入されていない場合でも、ケースを注水装置に収納することにより、キャップを適正な位置にセットすることができ、液体洗剤が残ることなく投入することができる。
【００１８】
第２の発明は、液体柔軟剤を投入する柔軟剤箱を有するケースと、前記ケースを引き出し可能に収納し前記ケースを通して注水口より洗濯槽内に注水する注水装置とを備え、前記柔軟剤箱は、その内底部の下面に連通した略筒状の洗浄剤投入部と、前記洗浄剤投入部の上方部および周囲を間隙を介して覆うキャップとを有し、前記ケースを前記注水装置に挿入したときに前記キャップを正規の位置に挿入させる当接部を前記注水装置の内部天面に設け、前記当接部により前記キャップの上面に設けた凸部を押さえ込むようにしたことにより、キャップが正規の位置に挿入されていない場合でも、ケースを注水装置に収納することにより、キャップを適正な位置にセットすることができ、柔軟剤が残ることなく投入することができる。
【００１９】
第３の発明は、第１または第２の発明のキャップの上面につば部を設け、前記つば部は、液体洗剤箱または柔軟剤箱の少なくとも半分を覆うよう平面形状に略相似した形状に構成したことにより、キャップと液体洗剤箱または柔軟剤箱の内底部との間の水をかき混ぜることにより、液体洗剤箱または柔軟剤箱の下面の液体洗剤または柔軟剤をかき混ぜ、液体洗剤または柔軟剤を残すことなく流すことができる。
【００２０】
第４の発明は、第１〜第３のいずれか１つの発明のキャップの上面につば部を設け、前記つば部は、外周の下面全周にリブを設けたことにより、キャップと液体洗剤箱または柔軟剤箱の内底部との間の水を、一層効率よく、確実にかき混ぜることができ、液体洗剤または柔軟剤を残すことなく流すことができる。
【００２１】
以下、本発明の実施例について、図面を参照しながら説明する。
【００２２】
（実施例１）
図１に示すように、ケース２４は、液体洗剤投入部２５を有する液体洗剤箱２６と、液体柔軟剤を投入する柔軟剤箱２７とを有し、液体洗剤箱２６と柔軟剤箱２７との間に空間部２８を設けている。注水装置２９は、ケース２４を引き出し可能に収納し、注水口３０よりケース２４を通して洗濯槽（図示せず）内に注水するもので、ケース２４を注水装置２９に収納したとき、液体洗剤箱２６と柔軟剤箱２７との間の空間部２８に位置するように遮蔽リブ３１を配設している。給水経路３２は、ケース２４内の液体洗剤箱２６に注水するものであり、給水経路３３は、ケース２４内の柔軟剤箱２７に注水するものである。
【００２３】
上記構成において、液体洗剤と柔軟剤を使用する場合、ケース２４を引き出して、液体洗剤を液体洗剤箱２６の液体洗剤投入部２５に投入し、柔軟剤を柔軟剤箱２７に投入し、注水装置２９に収納する。この状態で、水道水を給水経路３２より給水すると、給水された水は液体洗剤箱２６に注水され、液体洗剤箱２６内の液体洗剤を薄めながら、注水口３０を通って洗濯槽に液体洗剤とともに注水される。
【００２４】
このとき、給水経路３２からの流量が多い場合は、溢れた水や洗剤を含んだ水が液体洗剤箱２６から溢れるが、液体洗剤箱２６から溢れた水は、遮蔽リブ３１を伝って空間部２８に流れ落ち、液体洗剤箱２６から柔軟剤箱２７へと水が流れ移るのを防止することができる。
【００２５】
したがって、溢れた水により柔軟剤箱２７内の柔軟剤が流れ出ることがなく、すすぎ時に水道水を給水経路３３より給水すると、給水された水は柔軟剤箱２７に注水され、柔軟剤箱２７内の柔軟洗剤を薄めながら、注水口３０を通って洗濯槽に柔軟剤とともに注水される。
【００２６】
このように、流量が多い場合でも、液体洗剤箱２６から柔軟剤を投入する柔軟剤箱２７へと水が流れ移るのを防止することができ、液体洗剤や柔軟剤を適正な時期に、適正な量を投入することができる。
【００２７】
なお、本実施例では、注水装置２９に液体洗剤箱２６と柔軟剤箱２７との間の空間部２８に位置するように遮蔽リブ３１を配設しているが、この遮蔽リブ３１はなくてもよい。
【００２８】
（実施例２）
図２に示すように、液体洗剤箱２６は、上記実施例１と同様に、柔軟剤箱（図示せず）とともにケース２４に設け、ケース２４を注水装置２９に引き出し可能に収納している。この液体洗剤箱２６は、その内底部の下面に連通した略筒状の洗浄剤投入部３４を設け、
洗浄剤投入部３４の上方部および周囲を間隙を介してキャップ３５により覆っている。キャップ３５は、液体洗剤投入部２５を有するとともに、洗浄剤投入部３４の略上方の上面に凸部３６を設けている。
【００２９】
注水装置２９には、凸部３６に対向位置に当接部３７を設け、ケース２４を注水装置２９に挿入したとき、キャップ３５の上面に設けた凸部３６を注水装置２９に設けた当接部３７により押圧し、キャップ３５を押さえ込んで正規の位置に挿入するように構成している。他の構成は上記実施例１と同じである。
【００３０】
上記構成において、キャップ３５が洗浄剤投入部３４に正規の位置に挿入されない状態で、ケース２４を注水装置２９に挿入すると、注水装置２９に設けた当接部３７によりキャップ３５の上面に設けた凸部３６を押圧し、キャップ３５を押さえ込んで正規の位置に挿入する。液体洗剤を投入する動作については、従来例と同じであるので説明を省略する。
【００３１】
このように、キャップ３５が正規の位置に挿入されていない場合でも、ケース２４を注水装置２９に収納することにより、キャップ３５を正規の位置にセットすることができ、液体洗剤箱２６内に残った液体洗剤を含む洗浄液をサイフォンの原理によって排出することができ、液体洗剤が残ることなく投入することができる。
【００３２】
なお、本実施例では、液体洗剤を投入する液体洗剤箱２６について説明したが、柔軟剤を投入する柔軟剤箱２７についても、同様に構成することにより、常に柔軟洗剤が残ることなく投入することができる。
【００３３】
（実施例３）
図３に示すように、液体洗剤箱２６は、上記実施例１または実施例２と同様に、柔軟剤箱２７とともにケース２４に設け、ケース２４を注水装置２９に引き出し可能に収納している。この液体洗剤箱２６は、その内底部の下面に連通した略筒状の洗浄剤投入部３４を設け、洗浄剤投入部３４の上方部および周囲を間隙を介してキャップ３５により覆っている。キャップ３５は、上面につば部３８を設け、このつば部３８は、液体洗剤箱２６の平面形状に略相似した形状とし、液体洗剤箱２６の少なくとも半分を覆うよう構成している。また、つば部３８の外周の下方全周にリブ３９を設けている。
【００３４】
柔軟剤箱２７は、その内底部の下面に連通した略筒状の洗浄剤投入部４０を設け、洗浄剤投入部４０の上方部および周囲を間隙を介してキャップ４１により覆っている。キャップ４１は、上面につば部４２を設け、このつば部４２は、柔軟剤箱２７の平面形状に略相似した形状とし、柔軟剤箱２７の少なくとも半分を覆うよう構成している。また、つば部４２の外周の下方全周にリブ４３を設けている。他の構成は上記実施例１または２と同じである。
【００３５】
上記構成において、液体洗剤を使用する場合は、ケース２４を引き出して、液体洗剤を液体洗剤箱２６の液体洗剤投入部２５に投入し、ケース２４を注水装置２９に収納する。この状態で、水道水を給水経路３２より注水部４４に給水すると、給水された水は複数の穴４５より液体洗剤箱２６に注水され、液体洗剤箱２６内の液体洗剤を薄めながら、注水口３０を通って洗濯槽に液体洗剤とともに注水される。
【００３６】
このとき、複数の穴４５より液体洗剤箱２６に注水された水は、破線の矢印で示すように、キャップ３５のつば部３８の下部に回り込むように流れ、キャップ３５と液体洗剤箱２６の内底部との間の水をかき混ぜることにより、上澄み液を上面から流れ出すのではなく、液体洗剤箱２６の下面の液体洗剤をかき混ぜ、液体洗剤を残すことなく流すことがで
きる。
【００３７】
また、キャップ３５の上面に設けたつば部３８を液体洗剤箱２６の平面形状に略相似した形状としているので、キャップ３５と液体洗剤箱２６の内底部との間の水を効率よく、確実にかき混ぜることができ、液体洗剤を残すことなく流すことができる。
【００３８】
さらに、つば部３８の外周の下方全周にリブ３９を設けることにより、上記実施例２を説明した図２に矢印で示すように、キャップ３５のつば部３８の下部をリブ３９に沿って回り込むように流れ、キャップ３５と液体洗剤箱２６の内底部との間の水を、一層効率よく、確実にかき混ぜることができ、液体洗剤を残すことなく流すことができる。
【００３９】
また、柔軟剤を使用する場合は、ケース２４を引き出して、柔軟剤を柔軟剤箱２７に投入し、ケース２４を注水装置２９に収納する。この状態で、水道水を給水経路３３より注水部４６に給水すると、給水された水は複数の穴４７より柔軟剤箱２７に注水され、柔軟剤箱２７内の柔軟剤を薄めながら、注水口３０を通って洗濯槽に柔軟剤とともに注水される。
【００４０】
このとき、複数の穴４７より柔軟剤箱２７に注水された水は、破線の矢印で示すように、キャップ４１のつば部４２の下部に回り込むように流れ、キャップ４１と柔軟剤箱２７の内底部との間の水をかき混ぜることにより、上澄み液を上面から流れ出すのではなく、柔軟剤箱２７の下面の柔軟剤をかき混ぜ、柔軟剤を残すことなく流すことができる。
【図面の簡単な説明】
【００４１】
【図１】本発明の第１の実施例の洗濯機における液体洗剤、柔軟剤の投入装置の分解斜視図
【図２】本発明の第２の実施例の洗濯機における液体洗剤、柔軟剤の投入装置の断面図
【図３】本発明の第３の実施例の洗濯機における液体洗剤、柔軟剤の投入装置の断面図
【図４】従来の洗濯機における液体洗剤、柔軟剤の投入装置を備えた洗濯機の一部切欠した斜視図
【図５】同洗濯機における液体洗剤、柔軟剤の投入装置の分解斜視図
【図６】同洗濯機における液体洗剤、柔軟剤の投入装置の液体洗剤投入部の断面図
【図７】同洗濯機における液体洗剤、柔軟剤の投入装置の柔軟剤投入部の断面図
【図８】同洗濯機における液体洗剤、柔軟剤の投入装置の断面図
【符号の説明】
【００４２】
２４  ケース
２５  液体洗剤投入部
２６  液体洗剤箱
２７  柔軟剤箱
２８  空間部
２９  注水装置
３０  注水口
【図１】
0004674594.tif 000002
【図２】
0004674594.tif 000003
【図３】
0004674594.tif 000004
【図４】
0004674594.tif 000005
【図５】
0004674594.tif 000006
【図６】
0004674594.tif 000007
【図７】
0004674594.tif 000008
【図８】
0004674594.tif 000009